(57)【要約】【課題】  頬部から顎部にかけての密着性を高め、良好な装着感を得ることができるマスクを得る。【解決手段】  鼻部および口部を覆う被覆シート部２と、この被覆シート部２の両側縁４の上下に設けた耳掛け部固着部位に固着された耳掛け部３とからなるマスクにおいて、被覆シート部２の両側縁４に、上側の耳掛け部固着部位５と下側の耳掛け部固着部位６との間に位置して円弧状の切欠部７を形成し、さらに、下側の耳掛け部固着部位６は上側の耳掛け部固着部位５より中央寄りに設けた。【選択図】  図１
0003138397.tif 000002
【実用新案登録請求の範囲】
【請求項１】
鼻部及び口部を覆う被覆シート部と、この被覆シート部の両側縁の上下に設けられた耳掛け部固着部位に固着された耳掛け部とからなるマスクにおいて、前記被覆シート部の両側縁に、上側の耳掛け部固着部位と下側の耳掛け部固着部位との間に位置して円弧状の切欠部が形成され、さらに、前記下側の耳掛け部固着部位は前記上側の耳掛け部固着部位より中央寄りに設けられていることを特徴とするマスク。
【請求項２】
前記被覆シート部は、使用前の状態ではその中央から左右に２つ折りされた平坦形状とされ、使用状態では前方に膨らむ立体形状とされるように構成されていることを特徴とする請求項１に記載のマスク。
【考案の詳細な説明】
【技術分野】
【０００１】
本考案は、鼻部及び口部を覆う被覆シート部と、この被覆シート部の両側縁に固着される耳掛け部とからなるマスクに関する。
【背景技術】
【０００２】
埃、雑菌、花粉等を遮るために使用されるマスクとして、ガーゼや不織布といった繊維材料で製造されたマスクが多く使用されている。かかるマスクには、鼻部及び口部を覆う被覆シート部が平面形状に構成されたマスクや、被覆シート部が、使用前の状態ではその中央から左右に２つ折りされた平坦形状とされ、使用状態では前方に膨らむ立体形状とされるように構成された立体型のマスクがある。これらのマスクには、埃、雑菌、花粉等を遮るために、マスクを顔に装着したとき、その装着機能性や被覆シート部と顔面との密着性が求められている。
【０００３】
従来、装着機能性や被覆シート部と顔面との密着性を向上させたマスクとして、被覆シート部の両側縁の上下に設けられた耳掛け部固着部位の間に切欠部を形成したマスクが開示されている（例えば、特許文献１参照）。
【特許文献１】特開２００６−２４７０４６号公報
【考案の開示】
【考案が解決しようとする課題】
【０００４】
しかし、特許文献１に開示されているマスクは、前記被覆シート部の形状が上下対称となっているので、被覆シート部と顔面の両下顎部との密着性が得難いといった問題があった。即ち、前記被覆シート部の形状が上下対称となっているということは、耳掛け部の端部を固着する被覆シート部の上側の耳掛け部固着部位と下側の耳掛け部固着部位とが被覆シート部の中央から横方向に同じ長さの位置にあるということになる。一般に、下顎部は、その両側の形が顎の先端側から後ろ側に、耳に向かって徐々にせり上がっているため、前記のように耳掛け部の端部を固着する被覆シート部の上側の耳掛け部固着部位と下側の耳掛け部固着部位とが被覆シート部の中央から横方向に同じ長さの位置にあると、マスクを装着したとき被覆シート部の下側の耳掛け部固着部位が下顎部から首部側に外れてしまい、この結果、下顎部から外れた前記下側の耳掛け部固着部位は浮いた状態となり、被覆シート部と下顎部との間、即ち、被覆シート部と頬部から下顎部にかけての密着性に難があり、装着感にあっても満足できるものとは言えないものであった。
【０００５】
本考案の目的は、頬部から顎部にかけての密着性を高め、良好な装着感を得ることができるマスクを提供することにある。
【課題を解決するための手段】
【０００６】
請求項１に記載のマスクは、鼻部及び口部を覆う被覆シート部と、この被覆シート部の両側縁の上下に設けられた耳掛け部固着部位に固着された耳掛け部とからなるマスクにおいて、前記被覆シート部の両側縁に、上側の耳掛け部固着部位と下側の耳掛け部固着部位との間に位置して円弧状の切欠部が形成され、さらに、前記下側の耳掛け部固着部位は前記上側の耳掛け部固着部位より中央寄りに設けられていることを特徴とする。
【０００７】
請求項２に記載のマスクは、請求項１に記載の、前記被覆シート部は、使用前の状態ではその中央から左右に２つ折りされた平坦形状とされ、使用状態では前方に膨らむ立体形状とされるように構成されていることを特徴とする。
【考案の効果】
【０００８】
請求項１に記載のマスクによれば、被覆シート部の両側縁の上下に設けられた上側の耳掛け部固着部位と下側の耳掛け部固着部位との間に位置して円弧状の切欠部が形成されているので、装着時に被覆シート部の両側部に皺が寄らなくなり、頬部からこめかみ部にかけて被覆シート部の密着性が向上し、さらに、前記下側の耳掛け部固着部位は前記上側の耳掛け部固着部位より中央寄りに設けられているので、装着したとき被覆シート部の下側の耳掛け部固着部位が下顎部から外れず、下顎部に連なる頬部に乗った位置にあり、この位置で耳掛け部による引っ張り力を受けることになるから、被覆シート部の下側の耳掛け部固着部位が下顎部に連なる頬部に密着し、これにより頬部から下顎部にかけての密着性が高まり、良好な装着感を得ることができる。
【０００９】
請求項２に記載にマスクによれば、前記被覆シート部は、使用前の状態ではその中央から左右に２つ折りされた平坦形状とされ、使用状態では前方に膨らむ立体形状とされるように構成されているので、被覆シート部と頬部から下顎部にかけて密着性はより一層高まり、さらに、前記被覆シート部による口部への圧接感が減少されるため、より良好な装着感を得ることができる。
【考案を実施するための最良の形態】
【００１０】
以下、この考案に係るマスクを実施するための最良の形態を、図面を参照して詳細に説明する。  
図１及び図２は本考案に係るマスクの第１実施例を示したもので、図１は第１実施例のマスクの平面図、図２は第１実施例のマスクの使用状態を示す説明図である。
【００１１】
本例のマスク１は、装着者の鼻部及び口部を覆う被覆シート部２と耳部に掛ける耳掛け部３とから構成されている。被覆シート部２は、本例では横長の長方形で平面形状に構成されており、その材質にあっては、通気性があり、埃、雑菌、花粉等の遮断効果を図ることができる化学繊維や天然繊維などの繊維材料で形成されている。
【００１２】
前記被覆シート部２の両側縁４の上下には、前記耳掛け部３の両端部がそれぞれ固着される、上側の耳掛け部固着部位５と下側の耳掛け部固着部位６とが設けられている。そして、前記被覆シート部２の両側縁４には、前記上側の耳掛け部固着部部位５と前記下側の耳掛け部固着部位６との間に位置して円弧状の切欠部７が形成されている。
【００１３】
この切欠部７の形成により、前記上側の耳掛け部固着部位５と前記下側の耳掛け部固着部位６は、それぞれ横方向に突出した形状となっており、前記上側の耳掛け部固着部位５及び前記下側の耳掛け部固着部位６の先端部８は丸く縁取られた半径８ｍｍ〜１０ｍｍの半円形状となっている。
【００１４】
さらに、前記被覆シート部２の両側縁４の上下に設けられた前記上側の耳掛け部固着部位５と前記下側の耳掛け部固着部位６にあっては、下側の耳掛け部固着部位６が上側の耳掛け部固着部位５より中央寄りに設けられている。即ち、図１に示すように、前記被覆シート部２の中央基準線Ｌ１と直交する中央基準線Ｌ１から下側の耳掛け部固着部位６までの長さＷ１が、中央基準線Ｌ１と直交する中央基準線Ｌ１から上側の耳掛け部固着部位５までの長さＷ２より短くなっている。
【００１５】
そして、前記上側の耳掛け部固着部位５及び前記下側の耳掛け部固着部位６には、これらの半円形状に形成されている先端部８の中心に、前記耳掛け部２の端部が固着されている。
【００１６】
このように構成したマスク１によれば、被覆シート部３の両側縁４の上下に設けられた上側の耳掛け部固着部位５と下側の耳掛け部固着部位６との間に位置して円弧状の切欠部７が形成されているので、装着時に被覆シート部２の両側部に皺が寄らなくなり、頬部からこめかみ部にかけて被覆シート部２の密着性が向上する。さらに、本例では、前記上側の耳掛け部固着部位５及び前記下側の耳掛け部固着部位６の先端部８は、丸く縁取られた半円形状となっており、この先端部８の中心に前記耳掛け部３の端部が固着されているので、前記上側の耳掛け部固着部位５及び前記下側の耳掛け部固着部位６にかかる前記耳掛け部３による引っ張り力を確実に受けることができる。
【００１７】
さらに、前記下側の耳掛け部固着部位６は前記上側の耳掛け部固着部位５より中央寄りに設けられているので、装着したとき被覆シート部２の下側の耳掛け部固着部位６が下顎部Ｇから外れず、下顎部Ｇに連なる頬部Ｆに乗った位置にあり、この位置で耳掛け部３による引っ張り力を受けることになるから、被覆シート部２の下側の耳掛け部固着部位６が下顎部Ｇに連なる頬部Ｆに密着し、これにより頬部Ｆから下顎部Ｇにかけての密着性が高まり、良好な装着感が得られる。
【００１８】
図３及び図４は本考案に係るマスクの第２実施例を示したもので、図３は第２実施例のマスクの斜視図、図４は第２実施例のマスクを平坦形状としたときの平面図である。なお、前述した第１実施例と対応する部分には、同一の符号を付けて示している。
【００１９】
本例は立体型のマスク９であって、被覆シート部１０は一枚のシートを左右に二つ折りして重ね、この折部の上側を残して円弧状にカットし、このカットした左右の両端部を縫着、熱溶着或いは超音波溶着等で接着して立体形状に形成されている。
【００２０】
本例においても、前記第１実施例と同様に、前記被覆シート部１０の両側縁４の上下に、上側の耳掛け部固着部位５と下側の耳掛け部固着部位６とが設けられており、そして、前記被覆シート部２の両側縁４には、前記上側の耳掛け部固着部部位５と前記下側の耳掛け部固着部位６との間に位置して円弧状の切欠部７が形成されている。
【００２１】
そして、前記被覆シート部２の両側縁４の上下に設けられた前記上側の耳掛け部固着部位５と前記下側の耳掛け部固着部位６にあっても、第１実施例と同様に、下側の耳掛け部固着部位６が上側の耳掛け部固着部位５より中央寄りに設けられている。即ち、図４に示すように、被覆シート部１０を、その中央の接着部から折って平坦形状としたとき、接着部側の頂点と下点を結ぶ線を垂直線Ｌ２としたとき垂直線Ｌ２と直交する垂直線Ｌ２から下側の耳掛け部固着部位６までの長さＷ３が、垂直線Ｌ２と直交する垂直線Ｌ２から上側の耳掛け部固着部位５までの長さＷ４より短くなっている。その他の構成は、第１実施例と同様なので第１実施例の説明を援用する。
【００２２】
このように構成した本例のマスク９によれば、前記第１実施例と同様に、被覆シート部１０の両側縁４の上下に設けられた上側の耳掛け部固着部位５と下側の耳掛け部固着部位６との間に位置して円弧状の切欠部７が形成されているので、装着時に被覆シート部１０の両側部に皺が寄らなくなり、頬部からこめかみ部にかけて被覆シート部の密着性が向上し、また、前記下側の耳掛け部固着部位６は前記上側の耳掛け部固着部位５より中央寄りに設けられているので、装着したとき被覆シート部１０の下側の耳掛け部固着部位６が下顎部Ｇから外れず、下顎部Ｇに連なる頬部Ｆに乗った位置にあり、この位置で耳掛け部３による引っ張り力を受けることになるから、被覆シート部１０の下側の耳掛け部固着部位６が下顎部Ｇに連なる頬部Ｆに密着し、これにより頬部Ｆから下顎部Ｇにかけての密着性が高まり、良好な装着感を得ることができる。
【００２３】
さらに、本例では、前記被覆シート部１０は立体形状とされるように構成されているので、被覆シート部１０と頬部Ｆから下顎部Ｇにかけて密着性はより一層高まり、また、前記被覆シート部１０による口部への圧接感が減少されるため、より良好な装着感を得ることができる。
【図面の簡単な説明】
【００２４】
【図１】本考案に係るマスクの第１実施例を示す平面図である。
【図２】第１実施例のマスクの使用状態を示す説明図である。
【図３】第２実施例のマスクの斜視図である。
【図４】第２実施例のマスクを平坦形状としたときの平面図である。
【符号の説明】
【００２５】
１  マスク
２  被覆シート部
３  耳掛け部
４  側縁
５  上側の耳掛け部固着部位
６  下側の耳掛け部固着部位
７  切欠部
８  先端部
９  マスク
１０  被覆シート部
【図１】
0003138397.tif 000003
【図２】
0003138397.tif 000004
【図３】
0003138397.tif 000005
【図４】
0003138397.tif 000006